【手続補正書】
【提出日】平成29年10月26日(2017.10.26)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
共有帯域のフレームのために第１の基地局に割り当てられるクリアチャネルアセスメント（ＣＣＡ）スロットを特定することと、前記フレームは時間同期と関連付けられる、
ＣＣＡを、前記フレームのための前記特定されたＣＣＡスロットで、第１の基地局とグローバルポジショニングシステム（ＧＰＳ）同期されたタイミングソースとの間の複数のホップを示す前記ＣＣＡスロットのタイミング階層に基づいて、行うことと
前記ＣＣＡが成功するときに、前記フレームの間に前記第１の基地局の第１のタイミング情報を選択的に送信することと、
前記ＣＣＡが成功しないときに、前記フレームの間に第２の基地局の第２のタイミング情報を聴取することとを備える、方法。
【請求項２】
前記第１の基地局のタイミング階層に基づいて、タイミング同期と関連付けられる複数のフレームのために前記第１の基地局のＣＣＡ周波数をゲーティングすることをさらに備える、請求項１に記載の方法。
【請求項３】
前記ゲーティングの周期性が前記第１の基地局の前記タイミング階層に基づく、請求項２に記載の方法。
【請求項４】
前記ＣＣＡが成功しないと決定することと、
前記第１の基地局で、前記フレームのための前記第２の基地局からチャネル使用ビーコン信号を受信することとをさらに備える、請求項１に記載の方法。
【請求項５】
前記フレームの間に前記第２の基地局から前記第２のタイミング情報を受信することと、
前記第１の基地局のタイミングを、前記フレームの間に前記第２の基地局から受信された前記第２のタイミング情報に基づいて調整することとをさらに備える、請求項４に記載の方法。
【請求項６】
前記第１の基地局の前記タイミングを、第３の基地局から受信された第３のタイミング情報に基づいて調整することをさらに備える、請求項５に記載の方法。
【請求項７】
前記ＣＣＡが成功すると決定することをさらに備え、
前記第１のタイミング情報が、前記フレームの少なくとも１つの参照信号リソース要素の間に送信される、請求項１に記載の方法。
【請求項８】
前記フレームの間に少なくとも１つのユーザ機器（ＵＥ）にデータを送信することをさらに備え、前記データが前記第１のタイミング情報の前記送信と同時に前記ＵＥに送信される、請求項７に記載の方法。
【請求項９】
ワイヤレス通信のための装置であって、
共有帯域のフレームのために第１の基地局に割り当てられるクリアチャネルアセスメント（ＣＣＡ）スロットを特定するための手段と、前記フレームは時間同期と関連付けられる、
ＣＣＡを、前記フレームのための前記特定されたＣＣＡスロットで、第１の基地局とグローバルポジショニングシステム（ＧＰＳ）同期されたタイミングソースとの間の複数のホップを示す前記ＣＣＡスロットのタイミング階層に基づいて、行うための手段と、
前記ＣＣＡが成功するときに、前記フレームの間に前記第１の基地局の第１のタイミング情報を選択的に送信するための手段と、
前記ＣＣＡが成功しないときに、前記フレームの間に第２の基地局の第２のタイミング情報を聴取するための手段とを備える、装置。
【請求項１０】
前記第１の基地局のタイミング階層に基づいて、タイミング同期と関連付けられる複数のフレームのために前記第１の基地局のＣＣＡ周波数をゲーティングするための手段をさらに備える、請求項９に記載の装置。
【請求項１１】
前記ゲーティングの周期性が前記第１の基地局の前記タイミング階層に基づく、請求項１０に記載の装置。
【請求項１２】
前記ＣＣＡが成功しないと決定するための手段と、
前記第１の基地局で、前記フレームのための前記第２の基地局からチャネル使用ビーコン信号を受信するための手段とをさらに備える、請求項９に記載の装置。
【請求項１３】
前記ＣＣＡが成功すると決定するための手段をさらに備え、
前記第１のタイミング情報が、前記フレームの少なくとも１つの参照信号リソース要素の間に送信される、請求項９に記載の装置。
【請求項１４】
前記フレームの間に少なくとも１つのユーザ機器（ＵＥ）にデータを送信するための手段をさらに備え、前記データが前記第１のタイミング情報の前記送信と同時に前記ＵＥに送信される、請求項１３に記載の装置。
【手続補正２】
【補正対象書類名】明細書
【補正対象項目名】０４４０
【補正方法】変更
【補正の内容】
【０４４０】
[0469]  本開示の前述の説明は、当業者が本開示を作製または使用することを可能にするために与えられる。本開示に対する様々な修正が当業者には容易に明らかとなり、本明細書において規定された一般原理は、本開示の趣旨または範囲から逸脱することなく他の変形形態に適用され得る。本開示全体にわたって、「例」または「例示的」という用語は、一例または一事例を示すものであり、言及された例についていかなる選好も暗示せず、または必要としない。従って、本開示は、本明細書で説明された例および設計に限定されるべきでなく、本明細書で開示された原理および新規の特徴に一致する最も広い範囲を与えられるべきである。
以下に本願発明の当初の特許請求の範囲に記載された発明を付記する。
［Ｃ１］ワイヤレス通信の方法であって、第１の基地局で、共有帯域を通じて少なくとも第２の基地局のタイミング情報を示す少なくとも１つのクリアチャネルアセスメント（ＣＣＡ）免除送信（ＣＥＴ）を受信することと、前記第１の基地局のタイミングを、少なくとも前記第２の基地局の前記受信されたタイミング情報に基づいて調整することとを備える、方法。
［Ｃ２］前記少なくとも１つのＣＥＴの各々がＣＥＴ期間の複数の公衆陸上移動体ネットワーク（ＰＬＭＮ）固有の部分の１つにおいて受信され、前記ＰＬＭＮ固有の部分の各々が複数のＰＬＭＮの１つに割り当てられ、前記複数のＰＬＭＮが前記第２の基地局と関連付けられるＰＬＭＮを備える、Ｃ１に記載の方法。
［Ｃ３］前記第２の基地局の前記ＰＬＭＮと関連付けられる前記ＰＬＭＮ固有の部分の１つを特定することをさらに備え、前記少なくとも１つのＣＥＴを受信することが、前記第２の基地局の前記タイミング情報について、前記第２の基地局の前記ＰＬＭＮと関連付けられる前記特定されたＰＬＭＮ固有の部分を聴取することを備える、Ｃ２に記載の方法。
［Ｃ４］前記第１の基地局および前記第２の基地局が、異なる事業者と関連付けられる異なるＰＬＭＮの構成員であり、前記ＰＬＭＮが互いに時間同期される、Ｃ１に記載の方法。
［Ｃ５］前記少なくとも１つのＣＥＴが、複数の周期的にスケジューリングされるＣＥＴ期間のあるＣＥＴ期間の間に受信され、前記複数の周期的にスケジューリングされるＣＥＴ期間の各々が複数のＰＬＭＮ固有の領域と共通の送信領域とを備える、Ｃ１に記載の方法。
［Ｃ６］異なるＣＥＴ期間の共通の送信領域が交代式で異なるＰＬＭＮに割り当てられ、前記異なるＰＬＭＮが前記第２の基地局と関連付けられるＰＬＭＮを備える、Ｃ５に記載の方法。
［Ｃ７］前記少なくとも１つのＣＥＴが、前記共有帯域を通じて前記第２の基地局の前記タイミング情報を示す第１のＣＥＴと、前記共有帯域を通じて第３の基地局のタイミング情報を示す第２のＣＥＴとを含み、前記第１のＣＥＴおよび前記第２のＣＥＴが同時に受信される、Ｃ１に記載の方法。
［Ｃ８］前記少なくとも１つのＣＥＴがさらに、前記共有帯域を通じて第３の基地局のタイミング情報を示し、前記第１の基地局の前記タイミングを、前記第３の基地局の前記タイミング情報に基づいて調整することをさらに備える、Ｃ１に記載の方法。
［Ｃ９］ワイヤレス通信のための装置であって、第１の基地局で、共有帯域を通じて少なくとも第２の基地局のタイミング情報を示す少なくとも１つのクリアチャネルアセスメント（ＣＣＡ）免除送信（ＣＥＴ）を受信するための手段と、前記第１の基地局のタイミングを、少なくとも前記第２の基地局の前記受信されたタイミング情報に基づいて調整するための手段とを備える、装置。
［Ｃ１０］前記少なくとも１つのＣＥＴの各々がＣＥＴ期間の複数の公衆陸上移動体ネットワーク（ＰＬＭＮ）固有の部分の１つにおいて受信され、前記ＰＬＭＮ固有の部分の各々が複数のＰＬＭＮの１つに割り当てられ、前記複数のＰＬＭＮが前記第２の基地局と関連付けられるＰＬＭＮを備える、Ｃ９に記載の装置。
［Ｃ１１］前記第２の基地局の前記ＰＬＭＮと関連付けられる前記ＰＬＭＮ固有の部分の１つを特定するための手段をさらに備え、前記少なくとも１つのＣＥＴを受信するための前記手段が、前記第２の基地局の前記タイミング情報について、前記第２の基地局の前記ＰＬＭＮと関連付けられる前記特定されたＰＬＭＮ固有の部分を聴取するための手段を備える、Ｃ１０に記載の装置。
［Ｃ１２］前記第１の基地局および前記第２の基地局が、異なる事業者と関連付けられる異なるＰＬＭＮの構成員であり、前記ＰＬＭＮが互いに時間同期される、Ｃ９に記載の装置。
［Ｃ１３］前記少なくとも１つのＣＥＴが、複数の周期的にスケジューリングされるＣＥＴ期間のあるＣＥＴ期間の間に受信され、前記複数の周期的にスケジューリングされるＣＥＴ期間の各々が複数のＰＬＭＮ固有の領域と共通の送信領域とを備える、Ｃ９に記載の装置。
［Ｃ１４］異なるＣＥＴ期間の共通の送信領域が交代式で異なるＰＬＭＮに割り当てられ、前記異なるＰＬＭＮが前記第２の基地局と関連付けられるＰＬＭＮを備える、Ｃ１３に記載の装置。
［Ｃ１５］前記少なくとも１つのＣＥＴが、前記共有帯域を通じて前記第２の基地局の前記タイミング情報を示す第１のＣＥＴと、前記共有帯域を通じて第３の基地局のタイミング情報を示す第２のＣＥＴとを含み、前記第１のＣＥＴおよび前記第２のＣＥＴが同時に受信される、Ｃ９に記載の装置。
［Ｃ１６］前記少なくとも１つのＣＥＴがさらに、前記共有帯域を通じて第３の基地局のタイミング情報を示し、前記第１の基地局の前記タイミングを、前記第３の基地局の前記タイミング情報に基づいて調整するための手段をさらに備える、Ｃ９に記載の装置。
［Ｃ１７］ワイヤレス通信の方法であって、共有帯域のフレームのために第１の基地局に割り当てられるクリアチャネルアセスメント（ＣＣＡ）スロットを特定することと、前記フレームは時間同期と関連付けられる、ＣＣＡを、前記フレームのための前記特定されたＣＣＡスロットで行うことと、前記ＣＣＡが成功するときに、前記フレームの間に前記第１の基地局の第１のタイミング情報を選択的に送信することと、前記ＣＣＡが成功しないときに、前記フレームの間に第２の基地局の第２のタイミング情報を聴取することとを備える、方法。
［Ｃ１８］前記第１の基地局のタイミング階層に基づいて、タイミング同期と関連付けられる複数のフレームのために前記第１の基地局のＣＣＡ周波数をゲーティングすることをさらに備える、Ｃ１７に記載の方法。
［Ｃ１９］前記ゲーティングの周期性が前記第１の基地局の前記タイミング階層に基づく、Ｃ１８に記載の方法。
［Ｃ２０］前記ＣＣＡが成功しないと決定することと、前記第１の基地局で、前記フレームのための前記第２の基地局からチャネル使用ビーコン信号を受信することとをさらに備える、Ｃ１７に記載の方法。
［Ｃ２１］前記フレームの間に前記第２の基地局から前記第２のタイミング情報を受信することと、前記第１の基地局のタイミングを、前記フレームの間に前記第２の基地局から受信された前記第２のタイミング情報に基づいて調整することとをさらに備える、Ｃ２０に記載の方法。
［Ｃ２２］前記第１の基地局の前記タイミングを、第３の基地局から受信された第３のタイミング情報に基づいて調整することをさらに備える、Ｃ２１に記載の方法。
［Ｃ２３］前記ＣＣＡが成功すると決定することをさらに備え、前記第１のタイミング情報が、前記フレームの少なくとも１つの参照信号リソース要素の間に送信される、Ｃ１７に記載の方法。
［Ｃ２４］前記フレームの間に少なくとも１つのユーザ機器（ＵＥ）にデータを送信することをさらに備え、前記データが前記第１のタイミング情報の前記送信と同時に前記ＵＥに送信される、Ｃ２３に記載の方法。
［Ｃ２５］ワイヤレス通信のための装置であって、共有帯域のフレームのために第１の基地局に割り当てられるクリアチャネルアセスメント（ＣＣＡ）スロットを特定するための手段と、前記フレームは時間同期と関連付けられる、ＣＣＡを、前記フレームのための前記特定されたＣＣＡスロットで行うための手段と、前記ＣＣＡが成功するときに、前記フレームの間に前記第１の基地局の第１のタイミング情報を選択的に送信するための手段と、前記ＣＣＡが成功しないときに、前記フレームの間に第２の基地局の第２のタイミング情報を聴取するための手段とを備える、装置。
［Ｃ２６］前記第１の基地局のタイミング階層に基づいて、タイミング同期と関連付けられる複数のフレームのために前記第１の基地局のＣＣＡ周波数をゲーティングするための手段をさらに備える、Ｃ２５に記載の装置。
［Ｃ２７］前記ゲーティングの周期性が前記第１の基地局の前記タイミング階層に基づく、Ｃ２６に記載の装置。
［Ｃ２８］前記ＣＣＡが成功しないと決定するための手段と、前記第１の基地局で、前記フレームのための前記第２の基地局からチャネル使用ビーコン信号を受信するための手段とをさらに備える、Ｃ２５に記載の装置。
［Ｃ２９］前記ＣＣＡが成功すると決定するための手段をさらに備え、前記第１のタイミング情報が、前記フレームの少なくとも１つの参照信号リソース要素の間に送信される、Ｃ２５に記載の装置。
［Ｃ３０］前記フレームの間に少なくとも１つのユーザ機器（ＵＥ）にデータを送信するための手段をさらに備え、前記データが前記第１のタイミング情報の前記送信と同時に前記ＵＥに送信される、Ｃ２９に記載の装置。